(57)【要約】【課題】オペレータがライブラリの選択やデータ処理の指令を与えることなく、各種測定法で測定したスペクトルに対して常に適正な検索を行うことのできる赤外分光光度計を提供する。【解決手段】試料室４に配置された付属品５から測定法を識別する識別手段１０を備え、その識別結果に基づき、データ変換／解析処理部１１および検索処理部１２により測定されたスペクトルに対する処理とライブラリの選択を自動的に行うことで、オペレータによる選択作業を不要とする。【選択図】図１
2015206625.tif 000002
【特許請求の範囲】
【請求項１】
試料室内に置かれた試料に赤外域の測定光を照射し、その透過光もしくは反射光を計測して試料による吸光度スペクトルもしくは透過率スペクトルを算出するとともに、上記透過光もしくは反射光の計測に際しては、複数の測定法にそれぞれ対応した付属品のいずれかを上記試料室に設置することにより測定法を選択するように構成され、必要に応じて指令を付与することにより、算出された吸光度スペクトルもしくは透過率スペクトルに対し、測定法に応じた規定の処理を施したうえで、選択したライブラリを用いてそこに集積されているスペクトルと比較して類似のものを検索する検索機能を備えた赤外分光光度計において、
上記試料室に設置された付属品がどの測定法に対応するものかを識別する識別手段を備え、その識別された測定法に基づき、上記算出された吸光度スペクトルもしくは透過率スペクトルに対する処理とライブラリの選択を自動的に行って検索を実行することを特徴とする赤外分光光度計。
【発明の詳細な説明】
【技術分野】
【０００１】
本発明は赤外分光光度計に関し、さらに詳しくは、ライブラリ検索機能を備えた赤外分光光度計に関する。
【背景技術】
【０００２】
フーリエ変換型赤外分光光度計（ＦＴＩＲ）においては、一般に、赤外光源からの光を、固定鏡、移動鏡、およびビームスプリッタを含むマイケルソン干渉計に導き、時間的に振幅が変動するインターフェログラムと称される干渉波を生成し、そのインターフェログラムを測定光として試料室内に配置した試料に照射し、その反射光もしくは透過光を検出器で検出する。そして、その検出結果をフーリエ変換することにより、横軸に波数、縦軸に強度をとったスペクトル（サンプルスペクトル）を得る。さらに、このサンプルスペクトルを、試料の配置前のインターフェログラムを検出器で検出した結果をフーリエ変換したスペクトル（バックグラウンドスペクトル）から差し引くことにより、試料の吸光度もしくは透過率スペクトルを得ている。
【０００３】
通常、未知の試料を同定する場合には、検索機能が用いられる。検索機能では、既知物質のスペクトルが集積されたライブラリの中から、上記のようにして得られた試料の吸光度スペクトルもしくは透過率スペクトルに対してピークの波数位置やスペクトルの形状等を比較し、類似性の高いものを検索している（例えば特許文献１参照）。
【先行技術文献】
【特許文献】
【０００４】
【特許文献１】特開２００２−２０２２５９号公報
【発明の概要】
【発明が解決しようとする課題】
【０００５】
ところで、上記したＦＴＩＲにおいては、透過法、ＡＴＲ法、拡散反射法、正反射法といった複数の測定法を選択することができる。これらの測定法は、試料室に配置する付属品を、該当するものを選択配置することによって行うことができるが、同じ試料であっても、測定法を変更すると得られるスペクトルは異なる。そのため、検索に際しては、測定法に応じたライブラリを選択する必要があったり、あるいは測定した結果に該当のデータ処理を施したりするなど、検索前の準備が必要である。
【０００６】
具体的には、ＡＴＲ法で測定した結果に対しては、検索にかける前にＡＴＲ補正を行い、透過法で測定したデータを集積したライブラリを検索対象とするか、あるいは、補正せずにＡＴＲ法で測定したデータを集積したライブラリを選択して検索するかのいずれかの方法を採ることになる。
【０００７】
また、拡散反射法で測定した結果は、散乱による影響を補正するためのクベルカ・ムンク変換後に、透過法で測定したデータを集積したライブラリを検索対象としている。
【０００８】
そして、正反射法で測定した結果は、吸収スペクトルに変換するため、クラマース・クローニッヒ解析後に透過法で測定したデータを集積したライブラリを検索対象としている。
【０００９】
以上のように、測定した結果を検索するに当たっては、オペレータがライブラリを選択し、あるいは適正なデータ処理を行うべく指令を与える必要があり、オペレータに負担がかかるとともに、時間もかかるという問題があった。
【００１０】
本発明はこのような実情に鑑みてなされたもので、オペレータがライブラリの選択やデータ処理の指令を与えることなく、常に適正な検索を行うことのできる赤外分光光度計の提供をその課題としている。
【課題を解決するための手段】
【００１１】
上記の課題を解決するため、本発明の赤外分光光度計は、試料室内に置かれた試料に赤外域の測定光を照射し、その透過光もしくは反射光を計測して試料による吸光度スペクトルもしくは透過率スペクトルを算出するとともに、上記透過光もしくは反射光の計測に際しては、複数の測定法にそれぞれ対応した付属品のいずれかを上記試料室に設置することにより測定法を選択するように構成され、必要に応じて指令を付与することにより、算出された吸光度スペクトルもしくは透過率スペクトルに対し、測定法に応じた規定の処理を施したうえで、選択したライブラリを用いてそこに集積されているスペクトルと比較して類似のものを検索する検索機能を備えた赤外分光光度計において、上記試料室に設置された付属品がどの測定法に対応するものかを識別する識別手段を備え、その識別された測定法に基づき、上記算出された吸光度スペクトルもしくは透過率スペクトルに対する処理とライブラリの選択を自動的に行って検索を実行することによって特徴づけられる。
【００１２】
本発明は、検索機能を用いる際に、試料室内の付属品から検索に供されるスペクトルがどの測定法によるものかを装置が識別し、その識別結果に応じてデータ処理やライブラリの選択を自動的に実行することで、課題を解決しようとするものである。
【００１３】
すなわち、前記したように、透過法やＡＴＲ法などの各測定法による測定を行う際に、それぞれの測定法に対応した固有の付属品を試料室内に配置するのであるが、本発明はこの点を利用し、試料室内に配置される付属品から、検索に供されるスペクトルを得た測定法を識別して、各種補正や変換のデータ処理の実行の有無、さらには検索すべきライブラリの選択を自動的に行って検索を実行する。これにより、オペレータは単に検索実行の指令を与えるだけで、常に適正なデータ処理ないしはライブラリ選択が自動的に行われて検索が実行されることになる。
【発明の効果】
【００１４】
本発明によれば、任意の測定法で測定した未知試料のスペクトルを、検索機能を用いて同定を行う際に、検索実行の指令を与えるだけで、測定に供されるスペクトルのデータ処理の種類や検索対象とするライブラリが自動的に選択されて検索が実行されるので、オペレータの負担を軽減し、検索終了までの時間をも短縮することができる。
【図面の簡単な説明】
【００１５】
【図１】本発明の実施形態の構成を示すブロック図。
【発明を実施するための形態】
【００１６】
以下、図面を参照しつつ本発明の実施の形態について説明する。図１に本発明の構成を表すブロック図を示す。
【００１７】
赤外光源１からの光は平行光束としてマイケルソン干渉計２に導入される。マイケルソン干渉計２は、図示は省略するが、固定鏡と移動鏡、および光源からの光を２光束に分割するビームスプリッタを備え、移動鏡を連続的に移動させることによって、導入された光からインターフェログラム３を生成する。
【００１８】
マイケルソン干渉計２によって生成されたインターフェログラム３は試料室４内に導かれる。試料室４内には、測定法に応じた付属品５が挿入され、その付属品５に試料Ｓがセットされる。インターフェログラム３は試料Ｓに向けて照射され、試料Ｓを透過もしくは反射することによって、試料Ｓに特定の波長域の光が吸収されたインターフェログラム３’が検出器７で検出される。
【００１９】
検出器７からの検出出力はＡ／Ｄ変換器８によってデジタル化された後、フーリエ変換部９に取り込まれてフーリエ変換され、サンプルスペクトルが算出される。このサンプルスペクトルは、あらかじめ試料設置前のインターフェログラム３の検出結果をフーリエ変換して得られたバックグラウンドスペクトルから差し引かれることにより、試料Ｓによる吸光度スペクトルもしくは透過率スペクトル（以下、単に「スペクトル」と称する）が求められる。
【００２０】
さて、試料室４内に配置される付属品５には、その種類に応じた認識用チップ６が搭載されており、付属品５を試料室４内の規定場所に配置することにより、搭載した認識用チップ６の内容が測定法識別部１０に読み込まれ、現在の測定法がどの測定法であるかが識別される。この測定法識別部１０によって識別された現在の測定法に係る情報はフーリエ変換部９に送られ、スペクトルに付加される。すなわち、算出されたスペクトルは、当該スペクトルを得た測定法情報と一体化して出力される。
【００２１】
続いて、検索機能を動作させると、フーリエ変換部９からスペクトルおよび測定法情報がデータ変換／解析処理部１１に送られる。このデータ変換／解析処理部１１では、フーリエ変換部９から送られてきたスペクトルに付加されている測定法情報が、拡散反射測定法である場合にはスペクトルにクベルカ・ムンク変換処理を施し、また、正反射測定法である場合にはクラマース・クローニッヒ解析処理を施したうえで、検索処理部１２に送る。また、それ以外の測定法の場合には、スペクトルに対して以上のような処理を施さずに検索処理部１２に送っている。
【００２２】
検索処理部１２は、この例ではライブラリ（Ａ）１３とライブラリ（Ｂ）１４の２種類のライブラリを備えており、ライブラリ（Ａ）１３は透過法で測定したスペクトルとその物質情報を集積したライブラリであり、ライブラリ（Ｂ）１４はＡＴＲ法で測定したスペクトルとその物質情報を集積したライブラリである。
【００２３】
さて、検索処理部１２にスペクトルが送られると、そのスペクトルに付加されている測定法情報に基づき、ライブラリ（Ａ）１３を検索対象とするか、ライブラリ（Ｂ）１４を検索対象とするかを自動的に選択する。すなわち、透過法、拡散反射法、および正反射法の場合はライブラリ（Ａ）１３を、ＡＴＲ法の場合にはライブラリ（Ｂ）１４が検索対象として選択される。そして、その選択されたライブラリから、ピークの波数位置やスペクトルの形状などを比較する公知のアルゴリズムにより、取得したスペクトルに対して類似性の高いものを検索して表示器１５等に表示する。
【００２４】
以上の実施の形態によると、任意の測定法のもとにスペクトルを測定した後、オペレータは検索機能の動作指令を付与するだけで、装置が自動的に測定法を認識して必要に応じた処理を行うとともに、直ちに適切なライブラリを選択して検索を実行するので、オペレータの負担を軽減することができるとともに人為的な過誤の発生を防ぐことができ、さらには測定作業全体としての所要時間を短縮することができる。
【００２５】
なお、図１の実施の形態において、フーリエ変換部９、測定法識別部１０、データ変換／解析処理部１１、検索処理部１２およびライブラリ（Ａ）１３、ライブラリ（Ｂ）１４は、実際にはコンピュータとその周辺機器によって構成され、インストールされているプログラムに従って各機能を実現するのであるが、図１では、説明の便宜上、主要な機能ごとのブロック図で表した。
【００２６】
また、以上の実施の形態においては、２種のライブラリを備えた例を示したが、ライブラリ数は任意であり、例えば透過法に基づくライブラリのみを備え、ＡＴＲ法により測定されたスペクトルについては、ＡＴＲ補正を行ったうえで透過法に基づくライブラリを検索対象とするなどの変形を行うことも可能である。
【符号の説明】
【００２７】
１  赤外光源
２  マイケルソン干渉計
３  インターフェログラム
４  試料室
５  付属品
６  認識用チップ
７  検出器
８  Ａ／Ｄ変換器
９  フーリエ変換部
１０  測定法識別部（識別手段）
１１  データ変換／解析処理部
１２  検索処理部
１３  ライブラリＡ
１４  ライブラリＢ
１５  表示器
Ｓ  試料
【図１】
2015206625.tif 000003